(57)【要約】【課題】試験紙収納容器内から試験紙を摘んで容易に取り出すことができる試験紙収納容器を提供する。【解決手段】試験紙１００を収容するための試験紙収納容器１は、開口部３を有し、試験紙１００を収容する容器部２と、容器部２に着脱可能に取り付けられて開口部３を閉じる蓋部材４とを有し、容器部２の開口部３は、容器部２の高さ方向ＣＬに対して傾斜して形成され、例えば容器部２には、蓋部材４の端部に当たることで容器部２と蓋部材４の間を密閉する密閉部材８が設けられている。【選択図】図２
2013136398.tif 000002
【特許請求の範囲】
【請求項１】
試験紙を収容する試験紙収納容器であって、
開口部を有し、前記試験紙を収容する容器部と、
前記容器部に着脱可能に取り付けられて前記開口部を閉じる蓋部材と、
を有し、
前記容器部の前記開口部は、前記容器部の高さ方向に対して傾斜して形成されている
ことを特徴とする試験紙収納容器。
【請求項２】
前記容器部には、前記蓋部材の端部に当たることで前記容器部と前記蓋部材の間を密閉する密閉部材が設けられていることを特徴とする請求項１に記載の試験紙収納容器。
【請求項３】
前記容器部の内部には、突起部が設けられていることを特徴とする請求項１または２に記載の試験紙収納容器。
【請求項４】
前記容器部は、前記蓋部材を取り付けるための取付け部を有し、前記取付け部の上端部には、前記開口部が形成されており、
前記蓋部材は、前記取付け部をはめ込むための挿入口を形成している周囲部分と、前記挿入口とは反対側の前記周囲部分の端部側に形成された端面部と、を有し、
前記周囲部分は、前記周囲部分の前記挿入口側から前記端面部にかけて外寸法が大きくなるように形成されていることを特徴とする請求項１ないし３のいずれかに記載の試験紙収納容器。
【発明の詳細な説明】
【技術分野】
【０００１】
本発明は、例えば血糖試験紙等の試験紙を収容するための試験紙収納容器に関する。
【背景技術】
【０００２】
使用者が在宅で例えば血糖試験紙に尿を付着させて尿中の成分を検査することによって、使用者は体内の変化や異常を定期的にチェックすることができ、糖尿病や腎臓病の早期発見が可能になる。試験紙は、例えば帯状の部材（短冊状の薄い試験片）であり、試験紙の先端部分には試験薬が付着されている。使用者は、試験紙に含まれる試験薬に尿をかける、あるいはコップの中の尿に所定時間つけることで、試験薬の色が変わる。そこで、血糖試験紙の試験薬の色と色調表とを比較することにより、例えば尿糖、あるいは尿糖と尿たん白の両方を素早く判定することができる。
【０００３】
この種の複数枚の試験紙は、ボトル状の容器に収容されている。収納容器は、複数枚の試験紙を収容する容器部と、この容器部の円形状の開口部を閉じるための蓋と、を有している（たとえば特許文献１を参照）。
【先行技術文献】
【特許文献】
【０００４】
【特許文献１】実開平６−１８２８０号公報
【発明の概要】
【発明が解決しようとする課題】
【０００５】
ところが、上述した従来の試験紙収納容器を用いると次のような問題がある。
容器部の開口部は円形状であるので、特に容器部が細いと開口部の開口面積が小さく、使用者が開口部に指を入れるスペースが狭い。このため、特に容器部が細いと複数枚の試験紙の中から１枚の試験紙を指で摘んで取り出すのが容易ではない。
そこで本発明は上記課題を解消し、試験紙収納容器内から使用する試験紙を１ケずつ摘んで容易に取り出すことができる試験紙の容器を提供することを目的としている。
【課題を解決するための手段】
【０００６】
本発明は、試験紙を収容する試験紙用の容器であって、開口部を有し、前記試験紙を収容する容器部と、前記容器部に着脱可能に取り付けられて前記開口部を閉じる蓋部材と、を有し、前記容器部の前記開口部は、前記容器部の高さ方向に対して傾斜して形成されていることを特徴とする。
上記構成によれば、容器内から試験紙を摘んで容易に取り出すことができる。すなわち、容器部の開口部は、容器部の高さ方向に対して傾斜して形成されていることにより、容器部の太さを変えることなく、開口部の開口面積を従来の容器部の高さ方向に対して垂直に形成されている開口部の面積に比べて大きくすることができる。このため、使用者は、この大きな開口部を通じて、試験紙を指で摘んで取り出し易くすることができる。
【０００７】
好ましくは、前記容器部には、前記蓋部材の端部に当たることで前記容器部と前記蓋部材の間を密閉する密閉部材が設けられていることを特徴とする。
上記構成によれば、容器部に蓋部材を取り付けるだけで、密閉部材が容器部と蓋部材との間を密閉することができ、収容されている試験紙が湿気などにより悪影響を受けない。
【０００８】
好ましくは、前記容器部の内部には、突起部が設けられていることを特徴とする。
上記構成によれば、容器部の内部の突起部は、複数枚の試験紙の間に割り込んで試験紙同士に隙間を作るので、試験紙を取り出す際に１枚ずつ試験紙を摘みやすくなる。
【０００９】
好ましくは、前記容器部は、前記蓋部材を取り付けるための取付け部を有し、前記取付け部の上端部には、前記開口部が形成されており、前記蓋部材は、前記取付け部をはめ込むための挿入口を形成している周囲部分と、前記挿入口とは反対側の前記周囲部分の端部側に形成された端面部と、を有し、前記周囲部分は、前記周囲部分の前記挿入口側から前記端面部にかけて外寸法が大きくなるように形成されていることを特徴とする。
上記構成によれば、周囲部分は、周囲部分の挿入口側から端面部にかけて外寸法が大きくなるように形成されているので、容器部と蓋部材が細いものであっても、使用者は、蓋部材の周囲部分を指でしっかり摘んで、容器部の取付け部から蓋部材を滑ることなく取り外すことができる。
【発明の効果】
【００１０】
以上説明したように、本発明によれば、収納容器内から試験紙を摘んで容易に取り出すことができる試験紙収納容器を提供できる。
【図面の簡単な説明】
【００１１】
【図１】本発明の試験紙収納容器の好ましい実施形態を示す斜視図。
【図２】図１の試験紙収納容器を示す側面図。
【図３】試験紙の試験紙収納容器の容器部を示す斜視図。
【図４】本発明の試験紙収納容器の別の実施形態を示す図。
【発明を実施するための形態】
【００１２】
以下、本発明の好適な実施の形態を添付図面を参照して詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１３】
図１は、本発明の試験紙収納容器の好ましい実施形態を示す斜視図である。図２は、図１の試験紙のケースを示す側面図である。図３は、試験紙収納容器の容器部を示す斜視図である。
図１に示す試験紙収納容器１は、試験紙のボトルとも呼ぶことができ、全体的に縦長の円筒状とされている。この試験紙収納容器１は、例えば複数枚の血糖試験紙１００を立てた状態で密封し、しかも取出し可能に収容することができる。
【００１４】
図１に示す血糖試験紙１００は検査用のスティックあるいは試験片とも呼ぶことができ、短冊状あるいは帯状の薄い試験片である。血糖試験紙１００の下端部には、試験薬１０１が付着されている。試験薬１０１の試験前の当初の色は、例えば尿糖を測る血糖試験紙の場合はピンク色であり、試験薬１０１に尿をかける、あるいはコップの中の尿につけて、所定時間後（例えば３０秒後）に変わった色を色調表と比較するようになっている。
【００１５】
図１と図２に示すように、試験紙収納容器１は、複数枚の試験紙１００を収容するための容器部２と、この容器部２の開口部３を開閉可能に閉じる蓋部材４と、により構成されている。容器部２と蓋部材４は、同じ材質により作ることができるが、異なる材質で作っても良い。容器部２と蓋部材４の材質としては、例えばＰＥＴ（ポリエチレンテレフタレート）や、ＰＥＮ（ポリエチレンナフタレート）、ＰＰ（ポリプロピレン）、ＡＢＳ（アクリロニトリル、ブタジエン、スチレン共重合樹脂）、ＰＶＣ（ポリ塩化ビニル）などの熱可塑性樹脂により作られている。
【００１６】
図２と図３に示すように、試験紙収納容器１の容器部２は、底面部５と、円筒状の周囲部分６と、蓋部材の取付け部７と、リング状の密閉部材８と、開口部３を有している。容器部２の内部は、複数枚の試験紙１００を収容するための収容空間部９であり、収容空間部９の水平断面形状が円形状である。収容空間部９は、底面部５と円筒状の周囲部分６と円筒状の蓋部材の取付け部７とにより形成されている円柱状の空間である。
図１に示すように、この周囲部分６には、外装フィルム１０が配置されている。図２と図３では、この外装フィルム１０の図示は省略している。図１に例示するように、外装フィルム１０には、色調表１２０が表示されている。この色調表１２０を用いることで、使用者が検査結果を判定する際に、試験薬１０１の色の変化を、色調表１２０を見て比較して判定することができる。すなわち、血糖試験紙の試験薬１０１の変化した色と、試験紙のケース１に記載されている色調表と、を比較することにより、例えば「ほとんど尿糖は検出されませんでした。」、「少し尿糖が検出されました。」、「多めの尿糖が検出されました。」等のいずれかの検査結果を、使用者は素早く目視で判定することができるようになっている。
【００１７】
図２と図３に示すように、底面部５は周囲部分６の下端部分を形成しており、蓋部材の取付け部７は、周囲部分６の上部において高さ方向（容器２の軸方向）ＣＬに沿って突出して形成されている。蓋部材の取付け部７は、周囲部分６の外周よりも小さな外周を有するように形成され、後で説明する蓋部材４を着脱可能に固定することで、開口部３を密閉するために設けられている。取付け部７の上端部には、開口部３が形成されている。この開口部３は、収容空間部９内に配置されている複数枚の試験紙１００を取り出すための取出し口である。
【００１８】
図２と図３に示すように、開口部３の形成方向は、容器部２の高さ方向ＣＬの直角（水平方向）に対して直角ではなく、高さ方向ＣＬに対して傾斜角度θ、言い換えれば高さ方向ＣＬの直角（水平方向）方向ＴＴに対して予め定めた傾斜角度θ１だけ斜めに形成されている。
この傾斜角度θ１の好ましい範囲としては、２０度から３０度である。傾斜角度θ１が３０度より大きいと、開口部３の傾斜は大きくなるので、指で１枚の試験紙１００を取り出す際に、１４側の開口部３に手があたり視界が遮られ、取出しがそれほど容易ではないので、好ましくはない。また、傾斜角度θ１が２０度より小さいと、開口部３の開口面積が、従来の水平方向に形成された開口部の開口面積に比べてさほど変わらず、指で１枚の試験紙１００を取り出す際に、試験紙１００の飛び出し部分の長さが短くなり、取り出しがさほど容易ではないので、好ましくはない。
【００１９】
図２と図３に示す開口部３は、予め定めた傾斜角度θだけ斜めに形成されている。このため、開口部３を形成している傾斜した開口縁部１３は、正対した場合に楕円形の開口形状になっている。このような開口部３の楕円形形状を採用することで、次のようなメリットがある。すなわち、従来の試験紙収納容器の開口部の形状は、試験紙収納容器の容器部の高さ方向に対して直角方向に沿って形成されているので円形（水平断面で見て円形）である。試験紙収納容器の容器部の外形寸法、つまり容器部の太さが同じであれば、本発明の実施形態における容器部２の開口部３の開口面積は、従来の容器部の開口部の開口面積に比べて、大きく設定することができる。
【００２０】
これにより、使用者が容器部２内の複数枚の試験紙１００の中から１枚の試験紙１００を指で摘んで取り出す場合に、指を入れるための開口部３のスペースが大きく取れることから、開口部３から容器部２内の試験紙１０を１枚ずつ取り出し易い。しかも、本実施形態では、開口縁部１３の最上端部１３ａは試験紙１００の高さと同等或いはそれ以上であり、開口縁部１３の最下端部１３ｂについては、試験紙１００の上端部１０２を傾斜した開口縁部１３から上方に向けて外部に露出させている。このため、使用者が容器部２内の複数枚の試験紙１００の中から１枚の試験紙１００を指で摘んで取り出し易い。
【００２１】
図１と図３に示すように、容器部２の内周面には、好ましくは底面部５から開口縁部１３にかけて、高さ方向ＣＬと平行になるように、突起部１０４が複数本形成されている。これらの内部の突起部１４が設けられていることにより、容器部２内に収容されている複数枚の試験紙１００の中から１枚の試験紙１００を取り出す際に、突起部１０４が試験紙１００同士の間に隙間を作ることができ、試験紙１００を一枚ずつ指で摘んで取出し易くなる。図示例では、内部の突起部１４は２本形成されているが、３本以上であっても良い。また、本実施形態の突起部１０４は、図３に示すように最上端部１３ａ側（試験紙１００の上端部１０２が露出しない領域）にのみ配置され、かつ、互いの間隔Ｗが試験紙１００の幅に比べて小さくなるように配置されている。これにより、最上端部１３ａ側の内面に試験紙１００を押し付けた際、試験紙１００の主面全体が容器部２の内面に密着することを防止している。
【００２２】
図３に示すように、蓋部材の取付け部７の周囲には、蓋部材４を止めるためのらせん状のおねじ部１１が形成されている。蓋部材の取付け部７の外形寸法Ｄ１は、周囲部分６の外形寸法Ｄ２に比べて小さくなっていることで、周囲部分６の上端部は段差部分１２になっている。この段差部分１２には、リング状の密閉部材８が固定されている。この密閉部材８は、例えば弾性変形可能なプラスチック製あるいはゴム製のＯ−リング状のシール材である。
図２に示すように、密閉部材８は、蓋部材４の端面部２４を当接することで、蓋部材４と蓋部材の取付け部７の開口部３との間の密閉状態を確保するために配置されている。蓋部材の取付け部７の開口部３が傾斜して形成されているので、蓋部材３の内部にパッキンを配置したとしても、蓋部材３による開口部３の密閉が難しくなる。しかし、密閉部材８は、容器部２の段差部分１２に配置されているので、蓋部材４を蓋部材の取付け部７に取り付けてねじると、密閉性が担保でき、収容空間部９内に収容された複数枚の試験紙１００は、試験紙収納容器１の外側から湿気等が侵入するのを防止することができる。
【００２３】
次に、図１と図２を参照して、蓋部材４の構造を説明する。
図１と図２に示すように、蓋部材４は、端面部２０と、周囲部分２１と、雌ねじ部２２と、端面部２４を有している。蓋部材４は、取付け部７をはめ込むための挿入口２３を形成している周囲部分２１と、挿入口２３とは反対側の周囲部分２１の端面部２０と、を有している。端面部（上端面部ともいう）２０と周囲部分２１は、蓋部材の取付け部７を収容する挿入口２３を形成している。挿入口２３の内周面には、らせん状のめねじ部２２が形成されている。この雌ねじ部２２は、蓋部材４を蓋部材の取付け部７に被せて右回りに回転させると、蓋部材の取付け部７のおねじ部１１にかみ合うことで、蓋部材４は蓋部材の取付け部７に対して着脱可能に固定することができる。このように固定した状態では、密閉部材８は、蓋部材４の端面部２４と当接するので、蓋部材４と蓋部材の取付け部７との間の密閉状態を確保できる。
【００２４】
また、図２に示すように、蓋部材４の外形形状にはさらに特徴がある。蓋部材４の端面部２０は、平坦な形状ではなく、わずかに膨らんだ形状部分２０Ａ有している。蓋部材４の周囲部分２１は、端面部２４から端面部（上端面部）２０にかけて外側に徐々に広がるように傾斜して形成されている。すなわち、周囲部分２１は、周囲部分２１の挿入口２３側から端面部２０にかけて外寸法が大きくなるように形成されている。
このような蓋部材４の外形形状を採用することにより、使用者は、試験紙収納容器１の外径寸法が小さく試験紙収納容器１が細い場合でも、使用者は、指を蓋部材４の周囲部分２１にしっかりとかけることができ、指が滑るのを防止できる。このため、使用者は、蓋部材４を取り付けたり外したりする操作が容易に行える。
【００２５】
次に、上述した試験紙収納容器１の使用例を説明する。
図１に示すように、使用者が試験紙のケース１の中から試験紙１００を取り出す際には、蓋部材４を左方向に回転することで、蓋部材の取付け部７から取り外すことができる。蓋部材４を取り外すと、図２と図３に示すように、複数枚の試験紙１００の上端部１０２が開口部３から出ている。これは、開口部３が傾斜して形成されているためである。
従来の試験紙収納容器の開口部は、すでに説明したように円形の開口形状である。試験紙収納容器の容器部の外形寸法、つまり太さが同じであれば、本発明の実施形態における容器部２の開口部３の開口面積は楕円形状であり、従来の容器部の開口部の円形の開口面積に比べて、大きい。これにより、使用者が容器部２内の複数枚の試験紙１００の中から１枚の試験紙１００を指で摘んで取り出す場合に、開口部３から指を入れるスペースが大きいことから試験紙１０を取り出し易い。しかも、図２と図３に示すように、試験紙１００の上端部１０２は開口部３を形成している開口縁部１３から外部に露出させることができるので、使用者は、容器部２内の複数枚の試験紙１００の中から、１枚の試験紙１００を指で摘んで取り出し易い。
【００２６】
図１と図３に示すように、容器部２の内周面には、内部の突起部１４が複数本形成されているので、容器部２内に収容されている複数枚の試験紙１００の中から１枚の試験紙１００を取り出す場合に、内部突起部１０４は試験紙１００同士の間に隙間を作ることができ、試験紙１００を一枚ずつ指で摘んで取出し易くなる。さらに、試験紙１００の上端部１０２が開口縁部１３から外部に露出しない領域においては、需要者は試験紙１００を容器部２の内面に指で押し当てながら引き抜こうとするが、この際、突起部１０４により試験紙１００の容器部内面への密着を防止して、引き抜き易くしている。
そして、使用者が、試験紙１００を指で取り出した後、使用者は蓋部材４を蓋部材の取付け部７に被せて、蓋部材４を右方向に回転すれば、蓋部材４の端面部２４は密閉部材８に押し付けられる。これにより、蓋部材４と蓋部材の取付け部７との間の密閉性が担保でき、容器部２の収容空間部９内に収容された複数枚の試験紙１００に対して、試験紙のケース１の外側から湿気等が侵入するのを防止することができる。
【００２７】
本発明の実施形態の試験紙収納容器１は以上のように構成され、試験紙収納容器内から試験紙を摘んで容易に取り出すことができる。すなわち、容器部２の開口部３は、容器部２の高さ方向ＣＬに対して傾斜して形成されていることにより、容器部２の開口部３の開口面積は、従来の容器部の高さ方向に対して垂直に形成されている開口部の面積に比べて、大きくすることができる。このため、使用者は、この開口部３を通じて、試験紙１００を指で摘んで取り出し易くすることができる。容器部２に蓋部材４を取り付けるだけで、密閉部材８が容器部２と蓋部材４との間を密閉することができ、収容されている試験紙が湿気などにより悪影響を受けない。
【００２８】
図４は、本発明の試験紙収納容器の別の実施形態を示している。
図４（Ａ）の試験紙収納容器１Ａでは、容器部２Ａの開口部３Ａを蓋部材４Ａにより密閉している状態を示している。図４（Ｂ）では、蓋部材４Ａを外して開口部３Ａが解放されている状態を示している。
図４に示す試験紙収納容器１Ａの容器部２Ａの構造は、図１から図３に示す試験紙収納容器１の容器部２の構造とほぼ同じであるが、図４に示す蓋部材の取付け部７Ａの構造が、図２に示す蓋部材の取付け部７の構造とは異なる。
【００２９】
図４に示すように、蓋部材の取付け部７Ａには、プラスチック材料で作られており、おねじ部は形成されておらず、傾斜して形成された開口部３Ａを有しているだけである。蓋部材４Ａは、蓋部材の取付け部７Ａに対して連結部分４Ｂを用いて取れないように連結されている。
これに対して、蓋部材４Ａは、容器部２Ａのプラスチック材料の材質よりは柔軟性のある密閉性の高いプラスチック材料により作られており、必要に応じて内部には密閉部材８Ａが配置されている。これにより、蓋部材４Ａは、斜めに形成された開口縁部１３Ａに対してはめ込むことにより、開口部３Ａを密閉状態で閉じることができる。
【００３０】
本発明は、上記実施形態に限定されず、特許請求の範囲を逸脱しない範囲で種々の変更を行うことができる。
例えば、図１から図３に示す蓋部材４は、容器部の取付け部７に対しておねじ部を用いて着脱可能に固定する構造だけでなく、蓋部材を取付け部に対して押し付けることによりワンタッチで固定できる構造を採用しても良い。この場合には、例えば蓋部材の内側に凸部を設け、容器部の取付け部７の外側に凹部を設けて、凸部と凹部を噛み合わせるようにすれば良い。
【００３１】
また、容器部の水平断面形状は円形状であり、開口部は容器部の高さ方向ＣＬに対して傾斜して形成されていることで、開口部の形状は、楕円形状になっている。しかし、これに限らず、容器部の水平断面形状は円形状の他の形状、例えば矩形形状であり、開口部は容器部の高さ方向ＣＬに対して傾斜して形成されていることで、開口部の形状は、長方形状になっていても良い。
必要に応じて、蓋部材４の内底部分には、乾燥剤等を配置しても良い。
上記実施形態の各構成は、その一部を省略したり、上記とは異なるように任意に組み合わせることができる。
【符号の説明】
【００３２】
１・・・試験紙収納容器、２・・・容器部、３・・・開口部、４・・・蓋部材、７・・・容器部の取付け部、８・・・密閉部材、１４・・・内部の突起部、２０・・・端面部、２１・・・周囲部分、１００・・・試験紙、１０１・・・試験薬
【図１】
2013136398.tif 000003
【図２】
2013136398.tif 000004
【図３】
2013136398.tif 000005
【図４】
2013136398.tif 000006